(57)【要約】【課題】最下部に装着される棚板を傾斜した状態で固定すると、底板の長さが不足して棚板の前方と内ケースの後部立ち上がり部との間に隙間が形成されるが、この隙間を自動的に塞げるようにし、ショートサイクルを防止するオープンショーケースを提供する。【解決手段】複数の棚板を有するケース本体内に、前面が開口した貯蔵室を形成し、該貯蔵室の開口部を前記貯蔵室の上部前端に設けた冷気吹出口から下方に設けた冷気吸込口に向けて吹き出される冷気のエアーカーテンで覆うことにより前記貯蔵室を冷却してなるオープンショーケースにおいて、最下段の棚板１０に摺動可能に支持杆１３が取り付けられており、前記棚板１０とほぼ同幅のカバー部材１１が前記支持杆１３と連動するように係止されているので、棚板１０を傾斜するように取付け直した場合に、カバー部材が支持杆と共に前方へ延び常時棚板の前方と内箱の後面板との間隙を塞ぐためにショートサイクルする恐れがなくなる。【選択図】  図２
2004190918.tif 000002
【特許請求の範囲】
【請求項１】
複数の棚板を有するケース本体内に、前面が開口した貯蔵室を形成し、該貯蔵室の開口部を前記貯蔵室の上部前端に設けた冷気吹出口から下方に設けた冷気吸込口に向けて吹き出される冷気のエアーカーテンで覆うことにより前記貯蔵室を冷却してなるオープンショーケースにおいて、最下段の棚板には、先端部がショーケースの内ケースの係止孔に係止できる支持杆が摺動可能に取り付けられており、さらに前記棚板には、前記棚板とほぼ同幅のカバー部材が前記支持杆と連動するように係止されていることを特徴とするオープンショーケース。
【請求項２】
前記棚板には、前後方向に棚板を貫通するスリットが設けられるとともに、前記カバー部材には前記スリットを貫通し、かつ支持杆の一部に固定もしくは係合できる挿入片が垂下されており、前記カバー部材と支持杆が連動できるようになっている請求項１に記載のオープンショーケース。
【請求項３】
前記カバー部材に設けられている挿入片が少なくとも二股状の係止溝を有しており、この係止溝で前記支持杆の一部を狭むことにより、カバー部材と支持杆との連動を可能とするとともに、前記カバー部材の先端部に形成された支持杆の係止部が下方に開放する切欠溝になっている請求項２に記載のオープンショーケース。
【請求項４】
少なくとも前記支持杆の先端部には、前記ショーケースに設けられた係止孔に係止可能な係止溝が形成されており、この係止溝は前記係止孔の孔厚よりも若干幅巾の径を有する切欠かれた半円形溝である請求項１ないし３のいずれかに記載のオープンショーケース。
【発明の詳細な説明】
【０００１】
【発明の属する技術分野】
本発明は、スーパーマーケットやデパート、コンビニエンスストア等において、冷凍・冷蔵食品、生鮮食料品などを陳列又は保存するためのオープンショーケースに関する。
【０００２】
【従来の技術】
多段式の冷凍冷蔵ショーケースにおいては、ケース本体の内箱の後面に、多数の係止孔が上下方向に等間隔をもって列設されている複数の支柱を設け、棚受けブラケットの後端における鈎片を、前記係止孔に嵌合し、これらブラケットをもって、商品陳列用の棚板を支持し、その最下段には棚板が形成されているものが一般的である。
【０００３】
このようなショーケースには、棚板上に陳列物を配置し、客に陳列物をよく見せるため、この棚板の角度を変更したいという要求があった。
【０００４】
このような要求に応えるため、内ケースと外ケース間に風路を形成したショーケースにあっては、前記内ケースの下部に装着される棚板の前端部と後端部に、それぞれ前部ロックピンと後部ロックピンとを独立して備えるとともに、前部ロックピンを、ばね力に抗して移動できるように設け、前記内ケースの前後の各立ち上がり部の下部にあけた取付孔に前記棚板の前後の各ロックピンを嵌入して装着し、棚板の角度を変更できるものであり、これは既に公開されている（例えば、特許文献１参照）。
【０００５】
【特許文献１】
特開平１１−１４６８２４号公報（第１図）
【０００６】
【発明が解決しようとする課題】
しかしながら、このようなオープンショーケースにあっては、下部に装着される棚板を傾斜した状態で固定すると、底板の長さが不足して棚板の前方と内ケースの後部立ち上がり部との間に隙間が形成され、放置すると冷気がショートサイクルしてしまい、冷却効果を低減する要因となっている。本発明は、このような問題点に着目してなされたもので、前記隙間を自動的に塞げるようにし、ショートサイクルを防止するオープンショーケースを提供することを目的とする。
【０００７】
【課題を解決するための手段】
上記目的を達成するために、本発明のオープンショーケースは、複数の棚板を有するケース本体内に、前面が開口した貯蔵室を形成し、該貯蔵室の開口部を前記貯蔵室の上部前端に設けた冷気吹出口から下方に設けた冷気吸込口に向けて吹き出される冷気のエアーカーテンで覆うことにより前記貯蔵室を冷却してなるオープンショーケースにおいて、最下段の棚板には、先端部がショーケースの内ケースの係止孔に係止できる支持杆が摺動可能に取り付けられており、さらに前記棚板には、前記棚板とほぼ同幅のカバー部材が前記支持杆と連動するように係止されていることを特徴としている。
この特徴によれば、支持杆が棚板に摺動可能に取り付けられているとともに、カバー部材が前記支持杆と連動するように係止されているので、棚板を傾斜するように取付け直した場合、カバー部材が支持杆とともに前方へ延び、常時棚板の前方と内箱の後面板との間隙を塞ぐためにショートサイクルする恐れがなくなる。
【０００８】
上記オープンショーケースにおいて、前記棚板には、前後方向に棚板を貫通するスリットが設けられるとともに、前記カバー部材には前記スリットを貫通し、かつ支持杆の一部に固定もしくは係合できる挿入片が垂下されており、前記カバー部材と支持杆が連動できるようになっていることが好ましい。
このようにすれば、カバー部材が棚板に設けられたスリット孔で前後方向にのみ摺動可能に規制されるので、カバー部材の摺動が安定するばかりでなく、支持杆の前後移動方向も安定することになる。
【０００９】
上記オープンショーケースにおいて、前記カバー部材に設けられている挿入片が少なくとも二股状の係止溝を有しており、この係止溝で前記支持杆の一部を狭むことにより、カバー部材と支持杆との連動を可能とするとともに、前記カバー部材の先端部に形成された支持杆の係止部が下方に開放する切欠溝になっていることが好ましい。
このようにすれば、カバー部材を上方に引き上げるだけでカバー部材を棚板から外せるため、カバー部材等を掃除する必要が生じた場合に、カバー部材の着脱が容易である。
【００１０】
上記オープンショーケースにおいて、少なくとも前記支持杆の先端部には、前記ショーケースに設けられた係止孔に係止可能な係止溝が形成されており、この係止溝は前記係止孔の孔厚よりも若干幅巾の径を有する切欠かれた半円形溝であることが好ましい。
このようにすれば、支持杆の傾きが変化しても、円弧状の係止溝が係止孔に対して少なくとも２点で確実に当接し、棚板を安定して支持できることになる。
【００１１】
【発明の実施の形態】
以下、本発明の実施例を図面に基づいて説明する。
【００１２】
図１は、本発明のオープンショーケースを示す断面図、図２は、本発明のオープンショーケースの棚板及びカバー部材の組立て状態を示す斜視図、図３は、図２の裏面斜視図、図４（ａ）（ｂ）（ｃ）（ｄ），図５（ａ）（ｂ）は使用状態を示す断面図、図６は、別の実施例の棚板及びカバー部材の組立て状態を示す斜視図、図７は、図６の一部を省略した断面図である。
【００１３】
先ず、図１には本発明の適用されたショーケースとして例えばオープンショーケース１が示されている。オープンショーケース１は、箱形の断熱壁よりなる外箱を形成する外ケース４ａ〜４ｄの内方に内箱として形成される内ケース２ａ〜２ｃを、所用の間隔を設けて配設し、内ケース２ａ〜２ｃにより囲まれた内部空間を上面ないし前面が開放された商品収納部３として、この中に青果物等が陳列されるようになっている。
【００１４】
そして、オープンショーケース１は、商品収納部３を構成する内ケース２ａ〜２ｃと、その外側に配設される外ケース４ａ〜４ｄとの間には冷気循環経路７ａ、７ｂ、７ｃが配設されている。
【００１５】
上記のように構成された冷気循環経路７ａ内の送風機５を駆動させることにより、冷却器６を通過して冷却された冷気は、ショーケース１上部の冷気吹出口８より吐出し商品収納部３前面の内外ケース前端上部の冷気吸込口２５から吸引して図中破線で示される矢印方向に循環させることにより、ショーケース１の開放面にエアーカーテンを形成して商品収納部３内の冷凍食品や生鮮食料品等が所定温度に保冷できるようになっている。
【００１６】
また、商品収納部３下方の各種商品が載置される棚板１０の下部には、外ケース４ａ、４ｂと、内方に向けて下方傾斜しいる底パネル１２ａと、前方に向けて緩く下方傾斜している底パネル１２ｂが設けられ、冷却循環通路が構成されている。この底パネル１２ａ、１２ｂの谷部には、冷却器６の除霜時における解凍された水または堆積したゴミ類を排出する排水口Ｄが設けられている。
【００１７】
更に、冷気吸込口２５は、ショーケース１前面下方の左右方向に延設する外ケース４ａと内ケース２ａ間の上方が開口し、この開口部は吸込口カバー１４により覆われている。
【００１８】
図２、３には、本発明の実施例であるショーケースの最下段の棚板１０が示され、図２は組立て図、図３は組立後の背面図である。この棚板１０は、棚板１０とほぼ同幅のカバー部材１１及びコ字状の支持杆１３が摺動可能に取り付けられており、前記支持杆１３の前後の移動とともにカバー部材１１が連動するように係止固定されている。更に詳細に説明すると、棚板１０には前後方向に平行に切設されたスリット孔１７が設けられ、このスリット孔１７にカバー部材１１の挿入片１８が摺動自在に挿入され、この挿入片１８に設けられた係止溝１９とコ字状の支持杆１３の左右に延びる後端部ｂが嵌合されて固定されることによって、カバー部材１１と支持杆１３がともに前後移動可能になっている。
【００１９】
カバー部材１１の先端部ｃの所定箇所に前記支持杆１３が挿通可能な係止部２０が設けられ、この係止部２０を介してカバー部材１１の荷重が支持杆１３に加わるようになっている。この係止部２０は、カバー部材１１の取外しを図２に示すように、着脱を容易にするために下方に開放する切欠溝になっているが、この係止部２０を図６に示すように、挿通孔にしたり溶接固定状態に係止溝を変更することも可能である。
【００２０】
直線状の金属棒を屈折させた前記支持杆１３の先端部ａには、図４（ｃ）に示すように、切欠き状の係止溝１５が設けられており、この係止溝１５は内ケース２ｂに上下に複数個設けられた係止孔１６に係止され、容易に離脱できないようになっている。さらに詳しくは、係止溝１５は、係止孔１６の孔厚（内ケースの厚さ）より若干幅広でかつ半円形溝に切欠かれている。
【００２１】
また、棚板１０の後端には、図５（ａ）に示すように、軸杆２１が一部突出するように延設され、この軸杆２１の端部ｄには、後述する吸引口カバー１４近傍に設けられた棚板支持板２２の係止孔２３に係止できる係止溝２４が形成されている。この係止溝２４にあっても、係止孔２３の孔厚（棚板支持板２２の厚さ）より若干幅広でかつ半円形溝に切欠かれている。
【００２２】
次に、棚板１０、支持杆１３及びカバー部材１１の作用につき説明すると、図４（ａ）に示される位置から支持杆１３を図４（ｂ）の位置まで前進させると、支持杆１３に係止されたカバー部材１１も同距離前進するようになっている。
【００２３】
図４（ｃ）のように棚板１０が水平に設置されている場合は、内ケース２ｂの係止孔１６に支持杆１３の係止溝１５が係止されており、棚板１０に対してカバー部材１１が突出していない状態である。
【００２４】
次に、図４（ｄ）に示すように、棚板１０を斜めに傾けて設置する場合、支持杆１３を棚板１０から引き出し、前記した水平位置の係止孔１６より上方に位置する係止孔１６に支持杆１３の係止溝１５を係止すると、支持杆１３の端部ｂがカバー部材１１の係止溝１９に嵌合しているため、カバー部材１１も同時に引き出され、外見的には棚板１０が前方に長くなったような状態になる。このため、棚板１０を傾けた時本来発生する内ケース２６と棚板１０間の隙間がなくなり、冷気のショートサイクルを防止することができる。この場合、支持杆１３のカバー部材１１からの突出量は小さいため、支持杆１３を引っ張ることは困難であるが、カバー部材１１を前進させるだけで支持杆１３も同時に延びるため、作業が楽になっている。
【００２５】
なお、棚板１０を係止する係止孔１６の位置を変更する場合、棚板１０の後端の軸杆２１は、図５（ａ）に示されるように、棚板支持板２２の係止孔２３に係止されたままであり、棚板１０が順次傾斜されていくに従って、軸杆２１の端部ｄは、図５（ｂ）に示されるように、そこを中心にして係止したまま回動できるようになっている。前記したように、前記軸杆２１の端部ｄに設けられた係止溝２４及び支持杆１３の係止溝１５は半円形溝に形成されることが望ましく、このようにすれば、係止孔２３及び１６と半円形溝が２点支持で係止され棚板１０を安定して係止できるばかりか、軸杆２１や支持杆１３がストレートの金属棒であり、このストレートの金属棒に係止溝２４、１５が切欠かれていると、係止孔２３、１６に対する抜き差しがスムーズとなる。
【００２６】
以上、本発明の実施例を図面により説明してきたが、具体的な構成はこれら実施例に限られるものではなく、本発明の要旨を逸脱しない範囲における変更や追加があっても本発明に含まれる。たとえば、上記コ字形支持杆１３及び軸杆２１は棚板１０を保持できるものであればこの形状でなくてもよい。
【００２７】
【発明の効果】
本発明は、以下の効果を奏する。
【００２８】
（ａ）請求項１の発明によれば、支持杆が棚板に摺動可能に取り付けられているとともに、カバー部材が前記支持杆と連動するように係止されているので、棚板を傾斜するように取付け直した場合、カバー部材が支持杆とともに前方へ延び、常時棚板の前方と内箱の後面板との間隙を塞ぐためにショートサイクルする恐れがなくなる。
【００２９】
（ｂ）請求項２の発明によれば、前記棚板には、前後方向に棚板を貫通するスリットが設けられるとともに、前記カバー部材には前記スリットを貫通し、かつ支持杆の一部に固定もしくは係合できる挿入片が垂下されており、前記カバー部材と支持杆が連動できるようになっている。このようにすれば、カバー部材が棚板に設けられたスリット孔で前後方向のみ摺動可能に規制されるので、カバー部材の摺動が安定するばかりでなく、支持杆の前後移動方向も安定することになる。
【００３０】
（ｃ）請求項３の発明によれば、前記カバー部材に設けられている挿入片が少なくとも二股状の係止溝を有しており、この係止溝で前記支持杆の一部を狭むことにより、カバー部材と支持杆との連動を可能とするとともに、前記カバー部材の先端部に形成された支持杆の係止部が下方に開放する切欠溝になっているので、カバー部材を上方に引き上げるだけでカバー部材を棚板から外せるため、カバー部材等を掃除する必要が生じた場合に、カバー部材の着脱が容易である。
【００３１】
（ｄ）請求項４の発明によれば、少なくとも前記支持杆の先端部には、前記ショーケースに設けられた係止孔に係止可能な係止溝が形成されており、この係止溝は前記係止孔の孔厚よりも若干幅巾の径を有する切欠かれた半円形溝であるので、支持杆の傾きが変化しても、円弧状の係止溝が係止孔に対して少なくとも２点で確実に当接し、棚板を安定して支持できることになる。
【図面の簡単な説明】
【図１】本発明のオープンショーケースを示す断面図である。
【図２】同じく、棚板及びカバー部材の組立て状態を示す斜視図である。
【図３】図２の裏面斜視図である。
【図４】（ａ）（ｂ）（ｃ）（ｄ）は使用状態を示す断面図である。
【図５】（ａ）（ｂ）は、使用状態を示す断面図である。
【図６】別の実施例の棚板及びカバー部材の組立て状態を示す斜視図である。
【図７】図６の一部を省略した断面図である。
【符号の説明】
１                    ショーケース（オープンショーケース）
２ａ、２ｂ、２ｃ      内ケース（内箱）
３                    商品収納部
４ａ〜４ｄ            外ケース（外箱）
５                    送風機
６                    冷却器
７ａ、７ｂ、７ｃ      冷気循環経路
８                    冷気吹出口
１０                  棚板
１１                  カバー部材
１２ａ、１２ｂ        底パネル
１３                  支持杆
１４                  吸込口カバー
１５                  係止溝
１６                  係止孔
１７                  スリット孔
１８                  挿入片
１９                  係止溝
２０                  係止部
２１                  軸杆
２２                  棚板支持板
２３                  係止孔
２４                  係止溝
２５                  冷気吸込口
ａ                    先端部
ｂ                    後端部
ｃ                    先端部
ｄ                    端部
【図１】
2004190918.tif 000003
【図２】
2004190918.tif 000004
【図３】
2004190918.tif 000005
【図４】
2004190918.tif 000006
【図５】
2004190918.tif 000007
【図６】
2004190918.tif 000008
【図７】
2004190918.tif 000009